(57)【要約】【課題】書き込みタイミングを変えることで、光線の感光体への書き込み位置と正規の書き込み位置の誤差を補正することができる画像形成装置を得る。【解決手段】画像処理装置６０からの画像信号を格納すると共に、この格納された画像信号を順次光走査装置２０に送信する画像信号格納部５０が設けられている。この画像信号格納部５０によって送信された画像信号に基づいて、光走査装置２０は、レーザ光を出射して感光体１６上に静電潜像を書き込む。感光体１６に対向配置されたＣＣＤセンサ５４は、レーザ光の書き込み位置を検知する。ＣＣＤセンサ５４によって、検知されたレーザ光の書き込み位置と予め記憶している正規の書き込み位置との誤差を制御部５６が算出し、この算出結果に基づいて、制御部５６は、画像信号格納部５０を制御して画像信号の送信タイミングを補正する。【選択図】図１
2007168275.tif 000002
【特許請求の範囲】
【請求項１】
画像処理装置からの画像信号を一定量格納すると共に、前記画像信号を送信する画像信号格納部と、
前記画像信号格納部によって送信された前記画像信号に基づいて光学装置から出射される光線によって静電潜像が書き込まれる感光体と、
前記感光体に出射された前記光線の書き込み位置を検知する検知手段と、
前記検知手段によって、検知された前記光線の書き込み位置と正規の書き込み位置との誤差を算出すると共に、前記算出結果に基づいて前記画像信号格納部を制御して前記画像信号の送信タイミングを補正する制御部と、
を備えることを特徴とする画像形成装置。
【請求項２】
画像処理装置からの画像信号に基づいて光学装置から出射される光線によって静電潜像が書き込まれると共に、記録媒体に転写されるトナー画像が前記静電潜像を現像器によって現像されることで形成される感光体と、
前記記録媒体を前記トナー画像が転写される転写ポイントへ所定のタイミングで搬送する搬送手段と、
前記感光体に出射された前記光線の書き込み位置を検知する検知手段と、
前記検知手段によって、検知された前記光線の書き込み位置と正規の書き込み位置との誤差を算出すると共に、前記算出結果に基づいて前記搬送手段を制御して前記記録媒体の搬送タイミングを補正する制御部と、
を備えることを特徴とする画像形成装置。
【請求項３】
画像処理装置からの画像信号を一定量格納すると共に、前記画像信号を送信する画像信号格納部と、
前記画像信号格納部によって送信された前記画像信号に基づいて光学装置から出射される光線によって静電潜像が書き込まれる感光体と、
前記光学装置周辺の温度を検知する温度検知手段と、
前記温度検知手段によって検知された温度と書き込みタイミングが関連付けられたルックアップテーブルに基づいて、前記画像信号格納部を制御して前記画像信号の送信タイミングを補正する制御部と、
を備えることを特徴とする画像形成装置。
【請求項４】
画像処理装置からの画像信号に基づいて光学装置から出射される光線によって静電潜像が書き込まれると共に、記録媒体に転写されるトナー画像が前記静電潜像を現像器によって現像されることで形成される感光体と、
前記記録媒体を前記トナー画像が転写される転写ポイントへ所定のタイミングで搬送する搬送手段と、
前記光学装置周辺の温度を検知する温度検知手段と、
前記温度検知手段によって検知された温度と書き込みタイミングが関連付けられたルックアップテーブルに基づいて、前記搬送手段を制御して前記記録媒体の搬送タイミングを補正する制御部と、
を備えることを特徴とする画像形成装置。
【請求項５】
前記光線の書き込み位置と正規の書き込み位置との誤差が所定値以上となったときに、前記制御部が、前記感光体への書き込みを停止させることを特徴とする請求項１又は２に記載の画像形成装置。
【請求項６】
前記光学装置周辺の温度が所定値以上となったときに、前記制御部が、前記感光体への書き込みを停止させることを特徴とする請求項３又は４に記載の画像形成装置。
【発明の詳細な説明】
【技術分野】
【０００１】
本発明は、記録媒体上に画像を形成して出力する画像形成装置に関する。
【背景技術】
【０００２】
画像形成装置には、レーザ光の適正照射位置からの誤差を算出して、その誤差を補正する手段を備えたものがある。（特許文献１）
この画像形成装置では、光走査装置から照射されたレーザ光は、円筒形状の感光体の表面を主走査方向に走査する。感光体の主走査方向端部にはマーク部が設けられており、このマーク部上をレーザ光が照射すると、レーザ光はマーク部で反射され、この反射光が受光部に入射する。この受光部には、２つの受光素子が設けられており、２つの受光素子が受ける受光量の差に基づいて、レーザ光の適正照射位置からの誤差を算出する。
【０００３】
さらに、このレーザ光の適正照射位置からの誤差に基づいて、制御部は、ビーム光源とポリゴンミラーの間に配置されるシリンドリカルレンズを摺動させ、レーザ光の照射位置を適正位置に補正する。
【特許文献１】特開平５−２０８５２３公報
【発明の開示】
【発明が解決しようとする課題】
【０００４】
しかしながら、この画像形成装置によれば、２つの受光素子を備えた受光部がレーザ光（光線）の誤差を算出し、これに基づいて制御部は、シリンドリカルレンズをメカ機構を用いて摺動させるため、複雑で高価な装置となっていた。
【０００５】
本発明は、上記事実を考慮し、書き込みタイミングを変えることで、光線の感光体への書き込み位置と正規の書き込み位置の誤差を補正することができる画像形成装置を提供することが目的である。
【課題を解決するための手段】
【０００６】
本発明の請求項１に係る画像形成装置は、画像処理装置からの画像信号を一定量格納すると共に、前記画像信号を送信する画像信号格納部と、前記画像信号格納部によって送信された前記画像信号に基づいて光学装置から出射される光線によって静電潜像が書き込まれる感光体と、前記感光体に出射された前記光線の書き込み位置を検知する検知手段と、前記検知手段によって、検知された前記光線の書き込み位置と正規の書き込み位置との誤差を算出すると共に、前記算出結果に基づいて前記画像信号格納部を制御して前記画像信号の送信タイミングを補正する制御部と、を備えることを特徴とする。
【０００７】
上記構成によれば、画像信号格納部は、画像処理装置からの画像信号を一定量格納すると共に、画像信号を光学装置に送信する。光学装置は、画像信号格納部から送信された画像信号に基づいて、光線を感光体に出射することで静電潜像を感光体に書き込む。また、感光体に出射された光線の書き込み位置は、検知手段によって検知される。
【０００８】
ここで、制御部は、検知手段によって、検知された光線の書き込み位置と正規の書き込み位置との誤差を算出し、さらに、この算出結果に基づいて、画像信号格納部を制御して画像信号の送信タイミングを補正する。
【０００９】
従って、メカ的な機構を使用することなく、画像信号の送信タイミングを補正するだけで、光線の感光体への書き込み位置と正規の書き込み位置の誤差を補正するとことができる。
【００１０】
本発明の請求項２に係る画像形成装置は、画像処理装置からの画像信号に基づいて光学装置から出射される光線によって静電潜像が書き込まれると共に、記録媒体に転写されるトナー画像が前記静電潜像を現像器によって現像されることで形成される感光体と、前記記録媒体を前記トナー画像が転写される転写ポイントへ所定のタイミングで搬送する搬送手段と、前記感光体に出射された前記光線の書き込み位置を検知する検知手段と、前記検知手段によって、検知された前記光線の書き込み位置と正規の書き込み位置との誤差を算出すると共に、前記算出結果に基づいて前記搬送手段を制御して前記記録媒体の搬送タイミングを補正する制御部と、を備えることを特徴とする。
【００１１】
上記構成によれば、感光体は、画像処理装置からの画像信号に基づいて光学装置から出射される光線によって静電潜像が書き込まれ、さらに、感光体に書き込まれた静電潜像は、現像器によって記録媒体に転写されるトナー画像に現像される。また、搬送手段は、記録媒体をトナー画像が転写される転写ポイントへ所定のタイミングで搬送する。
【００１２】
さらに、感光体に出射された光線の書き込み位置は、検知手段によって検知され、制御部は、検知手段によって、検知された光線の書き込み位置と正規の書き込み位置との誤差を算出する。この算出結果に基づいて、制御部は、搬送手段を制御して記録媒体の搬送タイミングを補正する。
【００１３】
例えば、レジロール等の搬送手段で搬送タイミングを制御することで、単純で安価な装置によって光線の書き込み位置と正規の書き込み位置との誤差を補正することができる。この結果、画像品質を向上させることができる。
【００１４】
本発明の請求項３に係る画像形成装置は、画像処理装置からの画像信号を一定量格納すると共に、前記画像信号を送信する画像信号格納部と、前記画像信号格納部によって送信された前記画像信号に基づいて光学装置から出射される光線によって静電潜像が書き込まれる感光体と、前記光学装置周辺の温度を検知する温度検知手段と、前記温度検知手段によって検知された温度と書き込みタイミングが関連付けられたルックアップテーブルに基づいて、前記画像信号格納部を制御して前記画像信号の送信タイミングを補正する制御部と、を備えることを特徴とする。
【００１５】
上記構成によれば、画像信号格納部は、画像処理装置からの画像信号を一定量格納すると共に、画像信号を光学装置に送信する。光学装置は、画像信号格納部から送信された画像信号に基づいて、光線を感光体に出射することで静電潜像を感光体に書き込む。
【００１６】
また、温度検知手段によって光学装置周辺の温度が検知される。この検知された温度と書き込みタイミングが関連付けられたルックアップテーブルに基づいて、制御部は、画像信号格納部を制御して画像信号の送信タイミングを補正する。
【００１７】
従って、感光体への光線の書き込み位置を検知することなく、光学装置周辺の温度を検知することにより、光線の感光体への書き込み位置と正規の書き込み位置の誤差を補正するとことができる。
【００１８】
本発明の請求項４に係る画像形成装置は、画像処理装置からの画像信号に基づいて光学装置から出射される光線によって静電潜像が書き込まれると共に、記録媒体に転写されるトナー画像が前記静電潜像を現像器によって現像されることで形成される感光体と、前記記録媒体を前記トナー画像が転写される転写ポイントへ所定のタイミングで搬送する搬送手段と、前記光学装置周辺の温度を検知する温度検知手段と、前記温度検知手段によって検知された温度と書き込みタイミングが関連付けられたルックアップテーブルに基づいて、前記搬送手段を制御して前記記録媒体の搬送タイミングを補正する制御部と、を備えることを特徴とする。
【００１９】
上記構成によれば、感光体は、画像処理装置からの画像信号に基づいて光学装置から出射される光線によって静電潜像が書き込まれ、さらに、感光体に書き込まれた静電潜像は、現像器によって記録媒体に転写されるトナー画像に現像される。さらに、搬送手段は、記録媒体をトナー画像が転写される転写ポイントへ所定のタイミングで搬送する。
【００２０】
また、温度検知手段によって光学装置周辺の温度が検知される。この検知された温度と書き込みタイミングが関連付けられたルックアップテーブルに基づいて、制御部は、搬送手段を制御して記録媒体の搬送タイミングを補正する。
【００２１】
従って、光学装置周辺の温度を検知することにより、レジロール等の搬送手段で搬送タイミングを制御することで、光線の感光体への書き込み位置と正規の書き込み位置の誤差を補正するとことができる。
【００２２】
本発明の請求項５に係る画像形成装置は、請求項１又は２に記載の画像形成装置において、前記光線の書き込み位置と正規の書き込み位置との誤差が所定値以上となったときに、前記制御部が、前記感光体への書き込みを停止させることを特徴とする。
【００２３】
上記構成によれば、光線の書き込み位置と正規の書き込み位置との誤差が所定値以上となったときに、制御部が、感光体への書き込みを停止させる。このため、不要な書き込みを感光体にすることがない。
【００２４】
本発明の請求項６に係る画像形成装置は、請求項３又は４に記載の画像形成装置において、前記光学装置周辺の温度が所定値以上となったときに、前記制御部が、前記感光体への書き込みを停止させることを特徴とする。
【００２５】
上記構成によれば、光学装置周辺の温度が所定温度以上になったときに、制御部が、感光体への書き込みを停止させる。このため、不要な書き込みを感光体にすることがない。
【発明の効果】
【００２６】
本発明の画像形成装置によれば、書き込みタイミングを変えることで、光線の感光体への書き込み位置と正規の書き込み位置の誤差を補正することができる。
【発明を実施するための最良の形態】
【００２７】
本発明の画像形成装置の第１実施形態を図１〜４に従って説明する。
【００２８】
図３に示されるように、画像形成装置１０は、ハウジング１２を備え、ハウジング１２内には、ドラム状の感光体１６、感光体１６の静電潜像をトナーで現像する現像器１４、及びこの感光体１６の表面を帯電させる帯電ロール１８が設けられている。
【００２９】
また、感光体１６の表面を光線であるレーザ光で露光して静電潜像を書き込む光学装置としての光走査装置２０が感光体１６に隣接して配置されている。この光走査装置２０は、後述する画像信号格納部５０から送信される画像信号に基づいて感光体１６の表面に静電潜像を書き込む構成となっている。さらに、感光体１６上に出射されたレーザ光の書き込み位置は、感光体１６に対向配置された検知手段としてのＣＣＤセンサ５４によって検知される構成となっている。
【００３０】
また、ＣＣＤセンサ５４の検知したレーザ光の書き込み位置に基づいて、画像信号格納部５０を制御して画像信号の送信タイミングを制御する制御部５６が設けられている。
【００３１】
さらに、感光体１６のトナー画像を記録媒体としての用紙２２に転写する転写ロール２４が感光体１６に対向して配置され、トナー画像が用紙２２に転写される転写ポイント５２を感光体１６と共に構成している。
【００３２】
一方、ハウジング１２内の下方部には、用紙を収容する給紙カセット２６が設けられている。この給紙カセット２６には、用紙を所定のタイミングで送り出すフィードロール２８が設けられており、フィードロール２８と感光体１６との間に位置する用紙の搬送経路３０には、転写ポイント５２への到達タイミングを調整しながら用紙２２をニップ搬送する搬送手段としてのレジロール３２が設けられている。また、レジロール３２の用紙搬送方向下流側には、光学式の用紙通過センサ３４が配置されている。
【００３３】
この用紙通過センサ３４は、用紙の先端を検出するものであり、この検出タイミングに基づいて、レジロール３２の搬送タイミングが制御される。さらに、感光体１６の用紙搬送方向下流側に位置する搬送経路３０には、トナー画像を加熱圧着することで用紙２２に定着させる定着器３６が設けられており、この定着器３６は、ヒータを内蔵した加熱ロール３６Ａと加圧ロール３６Ｂとを備えている。
【００３４】
この定着器３６の用紙搬送方向下流側には、排出ロール３８が設けられており、トナー画像が転写された用紙２２は、排出ロール３８によってハウジング１２の上面に形成された収容トレイ４０に排出される。
【００３５】
上記構成による画像形成装置１０では、次のようにして画像が形成される。
【００３６】
まず、電圧が印加された帯電ロール１８は、感光体１６の表面を予定の帯電部電位で一様にマイナス帯電する。
【００３７】
続いて、光走査装置２０から出射されたレーザ光は、帯電された感光体１６上を主走査方向（感光体１６の軸方向）に走査する。また、副走査は感光体１６が図３の矢印Ａ方向に回転することによって成される。これにより、画像信号に応じた静電潜像が感光体１６上に書き込まれる。
【００３８】
すなわち、画像信号格納部５０から送信された画像信号に基づき、光走査装置２０をオン・オフすることによって画像に対応した静電潜像が感光体１６上に形成される。
【００３９】
さらに、現像器１４には予め設定された現像バイアスが印加されており、静電潜像は現像器１４の位置を通過する時にトナーで現像され、トナー画像として可視化される。
【００４０】
そこで、レジロール３２のニップ搬送によって、転写ポイント５２への到達タイミングが調整された用紙２２が、転写ポイント５２を通り、トナー画像が用紙２２に転写される。この転写されたトナー画像は定着器３６に備えられた加熱ロール３６Ａと加圧ロール３６Ｂの間を通過することで加熱圧着されて用紙２２に定着される。
【００４１】
さらに、用紙２２は排出口へ案内され、排出ロール３８によってハウジング１２の上部に形成された収容トレイ４０に排出される。  
【００４２】
次に、本第１実施形態における画像形成装置１０のＣＣＤセンサ５４、制御部５６、及び画像信号格納部５０について詳細に構成を説明する。
【００４３】
図１に示されるように、画像処理装置６０からの画像信号を格納（本実施例では７０主走査分を格納）すると共に、この格納された画像信号を順次光走査装置２０に送信する画像信号格納部５０が設けられている。
【００４４】
さらに、画像信号格納部５０によって送信された画像信号に基づいて、光走査装置２０は、レーザ光を感光体１６上の主走査方向（感光体１６の軸方向）に走査させることで感光体１６上に静電潜像を書き込む構成となっている。
【００４５】
また、感光体１６に対向配置されたＣＣＤセンサ５４は、光走査装置２０が出射したレーザ光の書き込み位置を検知する。詳細には、感光体１６によって反射されたレーザ光が集光レンズ５３を透過してＣＣＤセンサ５４によって検知されることで書き込み位置は検知される。
【００４６】
さらに、ＣＣＤセンサ５４によって、検知されたレーザ光の書き込み位置と予め記憶している正規の書き込み位置との誤差を制御部５６が算出し、この算出結果に基づいて、制御部５６は、画像信号格納部５０を制御して画像信号の送信タイミングを補正することができる。
【００４７】
例えば、図４に示されるように、感光体１６上の正規の書き込み位置を実線で示されるラインＢとして、ＣＣＤセンサ５４によって検知された書き込み位置が、破線で示されるラインＣの場合には、正規書き込み位置に対してレーザ光の書き込位置が早くなっている状態を示す。また、ＣＣＤセンサ５４によって検知された書き込み位置が、二点差線で示されるラインＤの場合には、正規書き込み位置に対してレーザ光の書き込位置が遅くなっている状態を示す。
【００４８】
ここで、レーザ光の書き込み位置をラインＣとして、この時に、例えば２０主走査分早まっているとすると、画像信号格納部５０に格納されている７０主走査分の画像信号を９０主走査分に増やすことで、２０主走査分の画像信号の送信を遅らせることができる。  
【００４９】
また、レーザ光の書き込み位置をラインＤとして、この時に、例えば２０主走査分遅れているとすると、画像信号格納部５０に格納されている７０主走査分の画像信号を５０主走査分に減らすことで、２０主走査分の画像信号の送信を早めることができる。  
【００５０】
次に、本第１実施形態における画像形成装置１０のＣＣＤセンサ５４、制御部５６、及び画像信号格納部５０の作用を説明する。
【００５１】
図２に示されるように、はじめに、ステップ１００でオペレータが印刷指示を出し、ステップ２００へ移行し、ステップ２００では、制御部５６（図１参照）に正規の書き込み位置が記憶されているか否か判断する。制御部５６に正規の書き込み位置が記憶されていないと判断した場合には、ステップ３００へ移行し、正規の書き込み位置が記憶されていると判断した場合には、ステップ４００へ移行する。
【００５２】
ステップ３００では、画像形成装置１０（図３参照）の全体の制御を司る図示しない制御装置の情報で制御部５６に正規の書き込み位置が記憶され、ステップ４００へ移行する。
【００５３】
ステップ４００では、印刷が開始されたか否かを判断する。
【００５４】
印刷が開始されると、ステップ５００では、ＣＣＤセンサ５４（図１参照）がレーザ光の書き込み位置を検知し、ステップ６００へ移行する。
【００５５】
ステップ６００では、制御部５６が、ＣＣＤセンサ５４によって検知されたレーザ光の書き込み位置と予め記憶されている正規の書き込み位置との誤差を算出し、ステップ７００へ移行する。
【００５６】
ステップ７００では、制御部５６が、画像信号格納部５０（図１参照）を制御して画像信号の送信タイミングを補正し、ステップ８００へ移行し、ステップ８００で所定枚数印刷したか否かを判断し、終了していないとステップ４００へ移行して印刷を継続する。
【００５７】
このように、画像信号の送信タイミングを補正するだけで、レーザ光の感光体１６への書き込み位置と正規の書き込み位置の誤差を補正する。この結果、画像品質を向上させることができる。
【００５８】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、レーザ光によって感光体１６上に静電潜像を形成したが、これに代えて、ＬＥＤ（発光ダイオード）等によって感光体１６上に静電潜像を形成してもよい。
【００５９】
次に本発明の画像形成装置の第２実施形態を図５〜６に従って説明する。
【００６０】
なお、第１実施形態と同一部材については、同一符号を付してその説明を省略する。
【００６１】
図５に示されるように、この実施形態では第１実施形態のように、レーザ光の書き込みタイミングに誤差が生じたときに、画像信号の送信タイミングを補正する構成にはなっておらず、それに代えて、用紙２２の転写ポイント５２への到達タイミングを補正する構成になっている。
【００６２】
詳細には、図５に示されるように、ＣＣＤセンサ５４によって、検知されたレーザ光の書き込み位置と予め記憶している正規の書き込み位置との誤差を制御部５６が算出する。この算出結果に基づいて、制御部５６は、レジロール３２の搬送タイミングを調整する用紙通過センサ３４を制御して用紙２２の転写ポイント５２への到達タイミングを補正する構成になっている。
【００６３】
つまり、図６に示すステップ９００では、制御部５６が、用紙通過センサ３４を制御して用紙２２の転写ポイント５２への到達タイミングを補正する。
【００６４】
従って、既存のレジロールを制御して、用紙２２の搬送タイミングを制御することで、レーザ光の書き込み位置と正規の書き込み位置との誤差を補正することができる。
【００６５】
次に本発明の画像形成装置の第３実施形態を図７〜８に従って説明する。
【００６６】
なお、第１実施形態と同一部材については、同一符号を付してその説明を省略する。
【００６７】
図７に示されるように、この実施形態では第１実施形態のように、レーザ光の書き込み位置を検知するＣＣＤセンサは設けられておらず、それに代えて、光走査装置２０周辺の温度を検知する温度検知手段としての温度センサ７０が設けられ、さらに、温度と書き込みタイミングが関連付けられたルックアップテーブルが制御部５６に予め記憶されている。
【００６８】
詳細には、図８に示されるように、ステップ１５００で温度センサ７０によって光走査装置２０周辺の温度が検知される。ステップ１７００では、この検知された温度と予め記憶しているルックアップテーブルに基づいて、制御部は、画像信号格納部５０を制御して画像信号の送信タイミングを補正する。
【００６９】
従って、感光体１６へのレーザ光の書き込み位置を検知することなく、光走査装置２０周辺の温度を検知することにより、感光体１６への書き込み位置と正規の書き込み位置の誤差を補正するとことができる。
【００７０】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、画像信号格納部５０を制御して画像信号の送信タイミングを補正したが、これに代えて、レジロール３２を制御して用紙２２の転写ポイント５２への到達タイミングを補正してもよい。
【００７１】
次に本発明の画像形成装置の第４実施形態を図９に従って説明する。
【００７２】
なお、第１実施形態と同一部材については、同一符号を付してその説明を省略する。
【００７３】
図９に示されるように、この実施形態では第１実施形態のように、ステップ６００で、正規の書き込み位置との誤差を算出し、ステップ７００へ移行するのではなく、それに代えて、制御部５６は、誤差が所定値以上となったとき、感光体１６への書き込みを停止する構成となっている。
【００７４】
詳細には、ステップ６００で、正規の書き込み位置との誤差を算出し、ステップ１０００へ移行し、誤差が例えば５０走査以上と算出された場合は、ステップ１１００に移行する。
【００７５】
ステップ１１００では、制御部５６は、感光体１６への書き込みを停止する。
【００７６】
なお、ステップ１０００にて、誤差が例えば５０走査未満と判定された場合は、ステップ７００に移行する。
【００７７】
従って、無駄な画像を用紙２２に形成することはない。
【００７８】
次に本発明の画像形成装置の第５実施形態を図１０に従って説明する。
【００７９】
なお、第３実施形態と同一部材については、同一符号を付してその説明を省略する。
【００８０】
図１０に示されるように、この実施形態では第３実施形態のように、ステップ１５００で、温度を検知し、ステップ１７００へ移行するのではなく、それに代えて、制御部５６は、温度が所定温度以上となったとき、感光体１６への書き込みを停止する構成となっている。
【００８１】
詳細には、ステップ１５００で、ステップ１６００へ移行し、温度が例えば４０度以上と検知された場合は、ステップ１８００に移行する。
【００８２】
ステップ１８００では、制御部５６は、感光体１６への書き込みを停止する。
【００８３】
なお、ステップ１６００にて、温度が例えば４０度未満と判定された場合は、ステップ１７００に移行する。
【００８４】
従って、無駄な画像を用紙２２に形成することはない。
【図面の簡単な説明】
【００８５】
【図１】本発明の第１実施形態に係る画像形成装置を示し、光走査装置の周辺部品の構成を説明する概略構成図である。
【図２】本発明の第１実施形態に係る画像形成装置の作用を説明するフロー図である。
【図３】本発明の第１実施形態に係る画像形成装置の概略構成図である。
【図４】本発明の第１実施形態に係る画像形成装置の感光体の斜視図である。
【図５】本発明の第２実施形態に係る画像形成装置を示し、光走査装置の周辺部品の構成を説明する概略構成図である。
【図６】本発明の第２実施形態に係る画像形成装置の作用を説明するフロー図である。
【図７】本発明の第３実施形態に係る画像形成装置を示し、光走査装置の周辺部品の構成を説明する概略構成図である。
【図８】本発明の第３実施形態に係る画像形成装置の作用を説明するフロー図である。
【図９】本発明の第４実施形態に係る画像形成装置の作用を説明するフロー図である。
【図１０】本発明の第５実施形態に係る画像形成装置の作用を説明するフロー図である。
【符号の説明】
【００８６】
１０    画像形成装置
１４    現像器
１６    感光体
２０    光走査装置
２２    用紙（記録媒体）
３２    レジロール（搬送手段）
５０    画像信号格納部
５２    転写ポイント
５４    ＣＣＤセンサ（検知手段）
５６    制御部
６０    画像処理装置
７０    温度センサ（温度検知手段）
【図１】
2007168275.tif 000003
【図２】
2007168275.tif 000004
【図３】
2007168275.tif 000005
【図４】
2007168275.tif 000006
【図５】
2007168275.tif 000007
【図６】
2007168275.tif 000008
【図７】
2007168275.tif 000009
【図８】
2007168275.tif 000010
【図９】
2007168275.tif 000011
【図１０】
2007168275.tif 000012